(57)【要約】【課題】  この発明は、第１の装置を制御するリモートコントローラと映像表示装置を制御するリモートコントローラをそれぞれ別々に操作する煩雑さを低減することを目的としている。【解決手段】  この発明の映像表示装置は、第１の装置（５０、６０）の制御手段４０から出力される第１の制御信号を受信する手段（１４）と、受信された第１の制御信号を第２の制御信号に変換して出力する手段１８と、第２の制御信号に応じて第１の装置（５０、６０）から出力された映像信号を受信する手段（１９）と、受信された映像信号を表示する手段（１５）とを備える。【選択図】  図１
2006013825.tif 000002
【特許請求の範囲】
【請求項１】
第１の装置から出力された映像信号を受信して表示する映像表示装置において、
第１の装置を制御するための制御信号テーブルが保存されているテーブル保存手段と、
第１の装置を制御するために第１の装置の制御手段から出力される第１の制御信号を受信する制御信号受信手段と、
前記受信された第１の制御信号を前記制御信号テーブル保存手段に保存されている制御信号テーブルを用いて第２の制御信号に変換して出力する変換手段と、
前記変換手段から出力される第２の制御信号に応じて第１の装置から出力された映像信号を受信する映像信号受信手段と、
前記受信された映像信号を表示する表示手段とを備えることを特徴とする映像表示装置。
【請求項２】
第１の装置から出力された映像信号を受信して表示する映像表示装置において、
第１の装置を制御するために第１の装置の制御手段から出力される第１の制御信号を受信する制御信号受信手段と、
前記受信された第１の制御信号を第２の制御信号に変換して出力する変換手段と、
第１の装置に接続され、第１の装置から出力された映像信号の入力をゲートするゲート手段と、
前記変換手段から出力される第２の制御信号に応じて前記ゲート手段のゲートを制御して第１の装置から出力された映像信号を受信する映像信号受信手段と、
前記受信された映像信号を表示する表示手段とを備えることを特徴とする映像表示装置。
【請求項３】
第１の装置から出力された映像信号を受信して表示する映像表示装置において、
第１の装置を制御するために第１の装置の制御手段から出力される第１の制御信号を受信する制御信号受信手段と、
前記受信された第１の制御信号を第２の制御信号に変換して出力する変換手段と、
前記変換手段から出力される第２の制御信号に応じて第１の装置から出力された映像信号を受信する映像信号受信手段と、
前記受信された映像信号を表示する表示手段とを備えることを特徴とする映像表示装置。
【請求項４】
前記第１の装置の制御手段はリモートコントローラであることを特徴とする請求項１乃至３に記載の映像表示装置。
【請求項５】
前記第１の制御信号は前記第１の装置を制御するリモコンコードであることを特徴とする請求項４に記載の映像表示装置。
【請求項６】
前記第２の制御信号は映像表示装置を制御することを特徴とする請求項５に記載の映像表示装置。
【請求項７】
第１の装置から出力された映像信号を受信して表示する映像表示装置において、
第１の装置を制御する第１の装置の制御手段による制御が設定されているか否かを判定する第１の判断手段と、
第１の装置の制御手段による制御が設定されていると判定された場合に、前記第１の装置の制御手段から出力される第１の制御信号を受信したか否かを判定する第２の判断手段と、
前記第１の制御信号を受信したと判定された場合に、受信された第１の制御信号を第２の制御信号に変換して出力する変換手段と、
前記変換手段から出力される第２の制御信号に応じて第１の装置から出力された映像信号を受信する映像信号受信手段と、
前記受信された映像信号を表示する表示手段とを備えることを特徴とする映像表示装置。
【請求項８】
第１の装置から出力された映像信号を受信して表示する映像表示装置において、
第１の装置を制御する第１の装置の制御手段による制御が設定されているか否かを判定する第１の判断手段と、
第１の装置の制御手段による制御が設定されていると判定された場合に、前記第１の装置の制御手段から出力される第１の制御信号を受信したか否かを判定する第２の判断手段と、
前記第１の制御信号を受信したと判定された場合に、受信された第１の制御信号を第２の制御信号に変換して出力する変換手段と、
映像表示装置の電源ＯＮ／ＯＦＦを判定する電源判定手段と、
映像表示装置の電源がＯＦＦと判定された場合は、映像表示装置の電源をＯＮとする電源制御手段と、
前記変換手段から出力される第２の制御信号に応じて第１の装置から出力された映像信号を受信する映像信号受信手段と、
前記受信された映像信号を表示する表示手段とを備えることを特徴とする映像表示装置。
【請求項９】
第１の装置を制御するために第１の装置の制御手段から出力される第１の制御信号を受信するステップと、
前記受信された第１の制御信号を第２の制御信号に変換して出力するステップと、
前記変換手段から出力される第２の制御信号に応じて第１の装置から出力された映像信号を受信するステップと、
前記受信された映像信号を表示するステップとを備えることを特徴とする映像表示方法。
【請求項１０】
第１の装置を制御する第１の装置の制御手段による制御が設定されているか否かを判定するステップと、
第１の装置の制御手段による制御が設定されていると判定された場合に、前記第１の装置の制御手段から出力される第１の制御信号を受信したか否かを判定するステップと、
前記第１の制御信号を受信したと判定された場合に、受信された第１の制御信号を第２の制御信号に変換して出力するステップと、
前記変換手段から出力される第２の制御信号に応じて第１の装置から出力された映像信号を受信するステップと、
前記受信された映像信号を表示するステップとを備えることを特徴とする映像表示方法。
【発明の詳細な説明】
【技術分野】
【０００１】
この発明は、映像信号を受信して表示する映像表示装置に関する。またこの発明は、第１の装置から出力された映像信号を受信して表示する映像表示装置に関する。
【背景技術】
【０００２】
現在、ＤＶＤやＶＴＲ等の第１の装置から出力された映像信号をＴＶ等の映像表示装置に受信させ、表示することが行われている。また、リモートコントローラが普及しており、一般に、第１の装置および映像表示装置はそれぞれ別々のリモートコントローラによって制御される。
【０００３】
このような場合、ユーザは第１の装置を制御するリモートコントローラと映像表示装置を制御するリモートコントローラをそれぞれ別々に操作しなければならず、煩雑であるという問題がある。
【０００４】
特許文献１には、他の機器のリモコン信号を記憶し、記憶したリモコン信号を用いて他の機器のリモコン制御を行う技術が開示されている。しかしながら、この特許文献１ではリモコン送受信装置を備える必要があり、製品に応用するという実用的な点で充分とはいえなかった。
【特許文献１】特開平１１−３２３８１号公報
【発明の開示】
【発明が解決しようとする課題】
【０００５】
従来の映像表示装置は、第１の装置から出力された映像信号を受信し、表示する際に、ユーザは、第１の装置を制御するリモートコントローラと映像表示装置を制御するリモートコントローラをそれぞれ別々に操作しなければならず、操作が煩雑であるという問題があった。
【課題を解決するための手段】
【０００６】
この発明に係る映像表示装置は、第１の装置を制御するために第１の装置の制御手段から出力される第１の制御信号を受信する制御信号受信手段と、前記受信された第１の制御信号を第２の制御信号に変換して出力する変換手段と、前記変換手段から出力される第２の制御信号に応じて第１の装置から出力された映像信号を受信する映像信号受信手段と、前記受信された映像信号を表示する表示手段とを備えるように構成している。
【０００７】
またこの発明に係る映像表示方法は、第１の装置を制御するために第１の装置の制御手段から出力される第１の制御信号を受信するステップと、前記受信された第１の制御信号を第２の制御信号に変換して出力するステップと、前記変換手段から出力される第２の制御信号に応じて第１の装置から出力された映像信号を受信するステップと、前記受信された映像信号を表示するステップとを備えるように構成している。
【発明の効果】
【０００８】
上記した構成によれば、例えば、第１の装置から出力された映像信号を受信し、映像表示装置に表示する際に、ユーザは、第１の装置を制御するリモートコントローラを用いて第１の装置と映像表示装置の両方を操作することが可能となる。このため、第１の装置を制御するリモートコントローラと映像表示装置を制御するリモートコントローラを、それぞれ別々に操作することで生じる煩雑さを低減することができる。
【発明を実施するための最良の形態】
【０００９】
以下、図面を参照してこの発明に係る実施の形態を説明する。
【００１０】
図１はこの発明の実施の形態を示すもので、映像表示装置の構成の概略を示すブロック図である。
【００１１】
符号３０は映像表示装置であり、ここでは放送受信装置（ＴＶ）である。符号５０は第１の装置であり、ここではＤＶＤである。また、符号６０も第１の装置であり、ここではＶＴＲである。
【００１２】
符号２４はリモコン信号受信部（制御信号受信手段）、符号１８はＣＰＵ（変換手段）、符号１９は映像信号受信部（映像信号受信手段）、符号２０はＥＥＰＲＯＭ等の半導体メモリ（テーブル保存手段）である。
【００１３】
符号４０は第１の装置（ＤＶＤ）５０を制御するためのリモートコントローラ（ＤＶＤ制御用リモコン）である。ここでは、例えば、ユーザによって図示しない操作スイッチが操作され、再生が操作される。
【００１４】
すると、リモートコントローラ（ＤＶＤ制御用リモコン）４０は、第１の装置（ＤＶＤ）５０に対して、赤外線等で構成される、コンテンツの再生を指示するリモートコントロールコード信号（リモコンコード信号）を送信する。第１の装置（ＤＶＤ）５０はこのリモートコントロールコード信号（リモコンコード信号）を受けてコンテンツの再生動作を開始し、映像信号を出力する。
【００１５】
また、リモートコントローラ（ＤＶＤ制御用リモコン）４０から出力されたＤＶＤの再生を指示するリモートコントロールコード信号（リモコンコード信号）は、リモコン信号受信部（制御信号受信手段）２４で受信される。リモコン信号受信部（制御信号受信手段）２４で受信されたリモートコントロールコード信号（リモコンコード信号）は、ＣＰＵ（変換手段）１８へ送信される。
【００１６】
ＥＥＰＲＯＭ等の半導体メモリ（テーブル保存手段）２０には、予め、第１の装置（ＤＶＤ）５０を制御するリモコン制御信号のテーブルが保存されている。ＣＰＵ（変換手段）１８は、リモコン信号受信部（制御信号受信手段）２４で受信されたリモートコントロールコード信号（リモコンコード信号）とメモリ（テーブル保存手段）２０に保存されている第１の装置（ＤＶＤ）５０を制御するリモコン制御信号のテーブルを比較し、映像表示装置３０の映像信号受信部（映像信号受信手段）１９を制御する制御信号に変換して出力する。このとき、この変換信号は映像信号受信部（映像信号受信手段）１９に対して、第１の装置（ＤＶＤ）５０から出力された映像信号の入力を許可する。
【００１７】
映像表示装置３０は、映像信号受信部（映像信号受信手段）１９を介して第１の装置５０および６０が接続されており、ここでは、上記のように、第１の装置（ＤＶＤ）５０から出力された映像信号の入力が許可され、映像信号変換部２７で受信され変換されて出力される。映像信号変換部２７から出力された映像信号はグラフィック重畳部１３で受信される。
【００１８】
また、ここでは映像表示装置３０は放送受信装置を例にとっており、放送受信手段も備えている。
【００１９】
符号９は放送を受信するアンテナである。この発明はアナログ放送でもよいが、ここではデジタル放送を例にとって説明する。符号１０は放送受信部（放送受信手段）、符号１１はＴＳ処理部、符号１２はＭＰＥＧデコード部である。
【００２０】
特に図示しないが、ＣＰＵ１８は放送受信部１０、ＴＳ処理部１１、ＭＰＥＧデコード部１２、グラフィック重畳部１３、映像信号処理部１４、画像表示部１５、音声信号処理部１６、スピーカ１７、メモリ２０、電源２０に接続され、それぞれを制御する。
【００２１】
アンテナ９で映像が含まれるデジタル放送（映像信号）が受信され、放送受信部１０へ出力される。放送受信部１０ではデジタル放送が選局され、選局された放送がＴＳ処理部（Transport Stream処理部）１２へ出力される（放送受信手段）。
【００２２】
ＴＳ処理部１１ではデジタル放送のTransport StreamがDemutiplexing（デマルチプレクス）処理され、ＭＰＥＧデコード部１２へ出力され受信される。
【００２３】
ＭＰＥＧデコード部１２では受信された映像信号がＭＰＥＧデコード処理されて出力される。
【００２４】
符号１３はグラフィック重畳部、符号１５は映像表示部（映像表示手段）、符号１６は音声信号処理部（音声信号出力手段）、符号１７はスピーカ（音声出力手段）である。
【００２５】
ここで、ＭＰＥＧデコード処理は上記デジタル放送がＭＰＥＧ４圧縮の形態で送信される場合はＭＰＥＧ４のデコード処理が行われ、上記デジタル放送がＭＰＥＧ２圧縮の形態で送信される場合はＭＰＥＧ２のデコード処理が行われる。また、上記デジタル放送がＨ２４６圧縮の形態で送信される場合はＨ２４６のデコード処理が行われる。
【００２６】
ＭＰＥＧデコード部１２でデコード処理されて出力された放送信号はグラフィック重畳部１３へ入力される。グラフィック重畳部１３では所定のグラフィックが重畳され、映像信号処理部１４へ出力される。ここでのグラフィックはＯＳＤ表示も含むものである。映像信号処理部１４では所定のグラフィック（ＯＳＤ含む）が重畳された放送信号の映像処理を行い、映像表示部（映像表示手段）１５へ映像信号を出力する。
【００２７】
また、ＭＰＥＧデコード部１２でデコード処理されて出力された放送信号は音声信号処理部１６へ出力される。音声信号処理部１４ではＡＣ３等の音声圧縮のデコード処理を行い、スピーカ（音声出力部）１７へ音声信号を出力する。スピーカ（音声出力部）１７では音声信号を受信し、音声を出力する。
【００２８】
尚、上記説明ではリモートコントローラ４０としてＤＶＤ制御用リモコンを用いて説明を行ったが、上記説明をそのままＶＴＲ制御用リモコンに置換えることも可能である。
【００２９】
すなわち、この発明の映像表示装置は、第１の装置５０または６０から出力された映像信号を受信して表示する映像表示装置３０においては、第１の装置５０または６０を制御するために第１の装置の制御手段４０から出力される第１の制御信号を受信する制御信号受信手段１４と、前記受信された第１の制御信号を第２の制御信号に変換して出力する変換手段１８と、前記変換手段１８から出力される第２の制御信号に応じて第１の装置５０または６０から出力された映像信号を受信する映像信号受信手段１９と、前記受信された映像信号を表示する表示手段１５とを備えるように構成している。
【００３０】
図２はこの発明の実施の形態を示すもので、ＤＶＤ制御用リモコン（ＤＶＤリモコン）による映像表示装置の制御（ＴＶ制御）を設定する設定画面の一例を示す図である。
【００３１】
この設定画面は例えば、映像表示部（映像表示手段）１５に表示され、映像表示装置のリモコン等の操作手段をユーザが操作し、ＣＰＵ１８に設定される。
【００３２】
ここでは設定画面には「ＤＶＤリモコンによるＴＶ制御を設定しますか」のメッセージが表示され、ユーザはカーソル等を用いて「ＹＥＳ」または「ＮＯ」を選択し、設定が行われる。
【００３３】
図３はこの発明の実施の形態を示すもので、ＶＴＲ制御用リモコン（ＶＴＲリモコン）による映像表示装置の制御（ＴＶ制御）を設定する設定画面の一例を示す図である。
【００３４】
この設定画面は上記と同様に、例えば、映像表示部（映像表示手段）１５に表示され、映像表示装置のリモコン等の操作手段をユーザが操作し、ＣＰＵ１８に設定される。
【００３５】
ここでは設定画面には「ＶＴＲリモコンによるＴＶ制御を設定しますか」のメッセージが表示され、ユーザはカーソル等を用いて「ＹＥＳ」または「ＮＯ」を選択し、設定が行われる。
【００３６】
図４はこの発明の実施の形態を示すもので、ＤＶＤ制御用リモコンコードを受けた映像表示装置の動作を説明するフローチャートである。
【００３７】
ここでの処理は主にＣＰＵ１８で実行される。
【００３８】
符号１００はここでのスタート（開始）ステップである。続いて符号１０１を付したステップへ進む。
【００３９】
符号１０１はＤＶＤリモコンからコンテンツ再生のリモコンコードが出力されるステップである。続いて符号１０２を付したステップ進む。
【００４０】
符号１０２はＤＶＤリモコンによる映像表示装置（ＴＶ）の制御は設定されているか否かを判定（判断）するステップである。ＤＶＤリモコンによる映像表示装置（ＴＶ）の制御が設定されていると判定（判断）される場合は符号１０３を付したステップへ進む（Ｙｅｓ）。ＤＶＤリモコンによる映像表示装置（ＴＶ）の制御が設定されていないと判定（判断）される場合は符号１０９を付したステップへ進む（Ｎｏ）。
【００４１】
符号１０３はＤＶＤのリモコンコード（再生）を受信したか否かを判定（判断）するステップである。ＤＶＤのリモコンコード（再生）を受信したと判定（判断）される場合は符号１０４を付したステップへ進む（Ｙｅｓ）。ＤＶＤのリモコンコード（再生）を受信していないと判定（判断）される場合は符号１０９を付したステップへ進む（Ｎｏ）。
【００４２】
符号１０４はＤＶＤのリモコンコード（再生）を受けて、映像表示装置（ＴＶ）３０の制御信号に変換するステップである。続いて符号１０５を付したステップへ進む。
【００４３】
符号１０５はＴＶの電源状態はどうか、すなわちここでは、ＴＶの電源はＯＦＦか否かを判定（判断）するステップである。ＴＶの電源はＯＦＦであると判定（判断）された場合は符号１０６を付したステップへ進む（Ｙｅｓ）。ＴＶの電源はＯＦＦであると判定（判断）されない場合は符号１０７を付したステップへ進む（Ｎｏ）。
【００４４】
符号１０６はＴＶの電源をＯＮにするステップである。続いて符号１０７を付したステップへ進む。
【００４５】
符号１０７は受信したＤＶＤリモコンコード（再生）に基づいて変換された映像表示装置（ＴＶ）の制御信号によって、映像信号受信部（映像信号受信手段）がＤＶＤから出力された映像信号を入力するように制御する（切り替える）ステップである。続いて符号１０８を付したステップへ進む。
【００４６】
符号１０８はＤＶＤから出力された映像信号を画像表示部（映像表示部（映像表示手段））１５へ表示するステップである。続いて符号１０９を付したステップへ進む。
【００４７】
符号１０９はエンド（終了）ステップであり、ここでの処理は終了する。
【００４８】
図５はこの発明の実施の形態を示すもので、ＶＴＲ制御用リモコンコードを受けた映像表示装置の動作を説明するフローチャートである。
【００４９】
ここでの処理は主にＣＰＵ１８で実行される。
【００５０】
符号１００はここでのスタート（開始）ステップである。続いて符号１０１を付したステップへ進む。
【００５１】
符号１０１はＶＴＲリモコンからコンテンツ再生のリモコンコードが出力されるステップである。続いて符号１０２を付したステップ進む。
【００５２】
符号１０２はＶＴＲリモコンによる映像表示装置（ＴＶ）の制御は設定されているか否かを判定（判断）するステップである。ＶＴＲリモコンによる映像表示装置（ＴＶ）の制御が設定されていると判定（判断）される場合は符号１０３を付したステップへ進む（Ｙｅｓ）。ＶＴＲリモコンによる映像表示装置（ＴＶ）の制御が設定されていないと判定（判断）される場合は符号１０９を付したステップへ進む（Ｎｏ）。
【００５３】
符号１０３はＶＴＲのリモコンコード（再生）を受信したか否かを判定（判断）するステップである。ＶＴＲのリモコンコード（再生）を受信したと判定（判断）される場合は符号１０４を付したステップへ進む（Ｙｅｓ）。ＶＴＲのリモコンコード（再生）を受信していないと判定（判断）される場合は符号１０９を付したステップへ進む（Ｎｏ）。
【００５４】
符号１０４はＶＴＲのリモコンコード（再生）を受けて、映像表示装置（ＴＶ）３０の制御信号に変換するステップである。続いて符号１０５を付したステップへ進む。
【００５５】
符号１０５はＴＶの電源状態はどうか、すなわちここでは、ＴＶの電源はＯＦＦか否かを判定（判断）するステップである。ＴＶの電源はＯＦＦであると判定（判断）された場合は符号１０６を付したステップへ進む（Ｙｅｓ）。ＴＶの電源はＯＦＦであると判定（判断）されない場合は符号１０７を付したステップへ進む（Ｎｏ）。
【００５６】
符号１０６はＴＶの電源をＯＮにするステップである。続いて符号１０７を付したステップへ進む。
【００５７】
符号１０７は受信したＶＴＲリモコンコード（再生）に基づいて変換された映像表示装置（ＴＶ）の制御信号によって、映像信号受信部（映像信号受信手段）がＶＴＲから出力された映像信号を入力するように制御する（切り替える）ステップである。続いて符号１０８を付したステップへ進む。
【００５８】
符号１０８はＶＴＲから出力された映像信号を画像表示部（映像表示部（映像表示手段））１５へ表示するステップである。続いて符号１０９を付したステップへ進む。
【００５９】
符号１０９はエンド（終了）ステップであり、ここでの処理は終了する。
【００６０】
すなわち、この発明にかかる映像表示装置は、第１の装置５０または６０を制御する第１の装置の制御手段４０による制御が設定されているか否かを判定する第１の判断手段１８と、第１の装置の制御手段による制御が設定されていると判定された場合に、前記第１の装置の制御手段から出力される第１の制御信号を受信したか否かを判定する第２の判断手段１８と、前記第１の制御信号を受信したと判定された場合に、受信された第１の制御信号を第２の制御信号に変換して出力する変換手段１８と、映像表示装置の電源ＯＮ／ＯＦＦを判定する電源判定手段１８と、映像表示装置の電源がＯＦＦと判定された場合は、映像表示装置の電源をＯＮとする電源制御手段１８と、前記変換手段から出力される第２の制御信号に応じて第１の装置から出力された映像信号を受信する映像信号受信手段１４と、前記受信された映像信号を表示する表示手段１５とを備えるように構成している。
【００６１】
上記のように構成することで、第１の装置から出力された映像信号を受信し、映像表示装置に表示する際に、ユーザは、第１の装置を制御するリモートコントローラを用いて第１の装置と映像表示装置の両方を操作することが可能となる。このため、第１の装置を制御するリモートコントローラと映像表示装置を制御するリモートコントローラを、それぞれ別々に操作することで生じる煩雑さを低減することができる効果がある。
【００６２】
なお、この発明は上記した実施の形態そのままに限定されるものではなく、実施段階ではその趣旨を逸脱しない範囲で構成要素を種々変形して具体化することができる。
【図面の簡単な説明】
【００６３】
【図１】この発明の実施の形態を示すもので、映像表示装置の構成の概略を示すブロック図。
【図２】この発明の実施の形態を示すもので、ＤＶＤ制御用リモコン（ＤＶＤリモコン）による映像表示装置の制御（ＴＶ制御）を設定する設定画面の一例を示す図。
【図３】この発明の実施の形態を示すもので、ＶＴＲ制御用リモコン（ＶＴＲリモコン）による映像表示装置の制御（ＴＶ制御）を設定する設定画面の一例を示す図。
【図４】この発明の実施の形態を示すもので、ＤＶＤ制御用リモコンコードを受けた映像表示装置の動作を説明するフローチャート。
【図５】この発明の実施の形態を示すもので、ＶＴＲ制御用リモコンコードを受けた映像表示装置の動作を説明するフローチャート。
【符号の説明】
【００６４】
９…アンテナ、１０…放送受信部（放送受信手段）、１１…ＴＳ処理部、１２…ＭＰＥＧデコード部、１３…グラフィック重畳部、１４…映像信号処理部、１５…映像表示部（映像表示手段）、１６…音声信号処理部（音声信号出力手段）、１７…スピーカ（音声出力手段）、１８…ＣＰＵ（変換手段）、１９…映像信号受信部（映像信号受信手段）、２０…メモリ（テーブル保存手段）、２４…リモコン信号受信部、２７…映像信号変換部、３０…映像表示装置（ＴＶ）、４０…ＤＶＤ制御用リモコン、５０…ＤＶＤ（第１の装置）、６０…ＶＴＲ（第１の装置）。
【図１】
2006013825.tif 000003
【図２】
2006013825.tif 000004
【図３】
2006013825.tif 000005
【図４】
2006013825.tif 000006
【図５】
2006013825.tif 000007